(57)【特許請求の範囲】
【請求項１】
個人の識別情報が記憶された識別情報記憶手段と、
前記個人の生体情報を収集する生体情報収集手段と、
個人の入出時に前記識別情報記憶手段から識別情報を取り込むと共に、前記生体情報収集手段から生体情報を取得する情報取得手段と、
前記情報取得手段が識別情報を取得したときに、入出の時刻から在席時間を求め、前記識別情報に対応付けて日毎に前記在席時間情報及び生体情報を蓄積手段に蓄積する蓄積制御手段と、
前記蓄積制御手段により蓄積された個人毎の情報に基づき、所定期間の在席時間が在席時間閾値を超過している場合及び／または、生体情報が所定閾値を超過している場合に、超過程度に応じて在席時間に関する勧告指示及び／または、健康診断の受診に関する勧告指示を含む健康管理勧告指示を出力する出力手段と、
前記蓄積制御手段により蓄積された個人毎の情報に基づき、在席時間情報と生体情報をそれぞれ時系列に並べて、閾値との差の大きさを峻別可能に表記した健康管理テーブルを作成する健康管理テーブル作成手段と、
情報を表示する表示手段と、
前記健康管理テーブル作成手段により作成された健康管理テーブルを前記表示手段に表示する表示制御手段と、
を具備することを特徴とする健康管理システム。
【請求項２】
健康管理テーブル作成手段は、色彩または色のトーン変化により閾値との差の大きさを峻別可能に表記した健康管理テーブルを作成することを特徴とする請求項１に記載の健康管理システム。
【請求項３】
個人のメンタル面の問診結果情報を入力する入力手段を有し、
前記蓄積制御手段は、前記入力手段により入力された問診結果情報を個人の識別情報に対応付けて、日毎に蓄積された前記在席時間情報及び生体情報に付随させて蓄積し、
表示制御手段は、表示要求に応じて要求に係る問診結果情報が付随された在席時間情報及び生体情報を表示手段に表示することを特徴とする請求項１または２に記載の健康管理システム。
【請求項４】
個人のメンタル面の問診結果情報を数値化する数値化テーブルを備え、
前記蓄積制御手段は、前記数値化テーブルにより問診結果情報を数値化して蓄積すると共に、
出力手段は、所定閾値と数値化して蓄積された問診結果情報を比較して、アラームを出力することを特徴とする請求項３に記載の健康管理システム。
【請求項５】
在席時間は、勤務時間であることを特徴する請求項１乃至４のいずれか１項に記載の健康管理システム。
【請求項６】
識別情報記憶手段と生体情報収集手段とが、１または２以上のウェアラブルデバイスとして構成されていることを特徴とする請求項１乃至５のいずれか１項に記載の健康管理システム。
【請求項７】
ウェアラブルデバイスは、腕時計タイプ、ネームプレートタイプ、メガネタイプ、帽子タイプ、着衣タイプの少なくとも１つにより構成されることを特徴とする請求項６に記載の健康管理システム。
【請求項８】
個人の入出時に、個人の識別情報が記憶された識別情報記憶手段から識別情報を取り込むと共に、前記個人の生体情報を収集する生体情報収集手段から生体情報を取得する情報取得手段に接続された健康管理用のコンピュータに用いられる健康管理用プログラムであって、
コンピュータを、
前記情報取得手段が識別情報を取得したときに、入出の時刻から在席時間を求め、前記識別情報に対応付けて日毎に前記在席時間情報及び生体情報を蓄積する蓄積制御手段、
前記蓄積制御手段により蓄積された個人毎の情報に基づき、所定期間の在席時間が在席時間閾値を超過している場合及び／または、生体情報が所定閾値を超過している場合に、超過程度に応じて在席時間に関する勧告指示及び／または、健康診断の受診に関する勧告指示を含む健康管理勧告指示を出力する出力手段、
前記蓄積制御手段により蓄積された個人毎の情報に基づき、在席時間情報と生体情報をそれぞれ時系列に並べて、閾値との差の大きさを峻別可能に表記した健康管理テーブルを作成する健康管理テーブル作成手段、
前記健康管理テーブル作成手段により作成された健康管理テーブルを、情報を表示する表示手段に表示する表示制御手段、
として機能させることを特徴とする健康管理用プログラム。
【請求項９】
更に、コンピュータを、
健康管理テーブル作成手段として、色彩または色のトーン変化により閾値との差の大きさを峻別可能に表記した健康管理テーブルを作成するように機能させることを特徴とする請求項８に記載の健康管理用プログラム。
【請求項１０】
更に、コンピュータを、
前記蓄積制御手段として、個人のメンタル面の問診結果情報を入力する入力手段より入力された問診結果情報を個人の識別情報に対応付けて、日毎に蓄積された前記在席時間情報及び生体情報に付随させて蓄積するように機能させ、
表示制御手段として、表示要求に応じて要求に係る問診結果情報が付随された在席時間情報及び生体情報を前記表示手段に表示するように機能させることを特徴とする請求項８または９に記載の健康管理用プログラム。
【請求項１１】
個人のメンタル面の問診結果情報を数値化する数値化テーブルを備え、
更に、コンピュータを、
前記蓄積制御手段として、前記数値化テーブルにより問診結果情報を数値化して蓄積するように機能させ、
出力手段として、所定閾値と数値化して蓄積された問診結果情報を比較して、アラームを出力するように機能させることを特徴とする請求項１０に記載の健康管理用プログラム。
【請求項１２】
在席時間は、勤務時間であることを特徴する請求項８乃至１１のいずれか１項に記載の健康管理用プログラム。
【発明の詳細な説明】
【技術分野】
【０００１】
この発明は、健康管理システム及び健康管理用プログラムに関するものであり、特に、勤務時間と共に健康管理を行うことが可能な健康管理システム及び健康管理用プログラムに関するものである。
【背景技術】
【０００２】
従来、勤務時間や残業時間の管理はタイムカードやＯＣＲによって行う職場が主流であり、勤務時間や残業時間に関するチェックは例えば月末などの１か月に一度だけ、担当者が行うことが多かった。近年のＯＡ化や社内ネットワーク化の進行に伴い、勤務時間や残業時間を毎日チェックすることが可能となっている。
【０００３】
しかしながら、残業時間に基づく健康診断の受診勧告は、１か月毎の残業時間の超過がある場合に行われている。また、産業医との面談によって健康の問題が発見される以外は、勤務時間に制限を受けることはほとんどなく、社員などの健康管理が適切になされているとは言い難い現状である。
【０００４】
一方、特許文献１には、高精度で、客観性、安定性の高い労務管理及び経営管理上のリスク分析を簡易に行うリスク分析装置が開示されている。このリスク分析装置は、所定期間における勤怠データの労働日数及び労働時間から、日次単位のデータと所定の条件を満たす連続性分析データとから、所定の閾値以上のデータに対して、点数を付与し、日次単位データに付与された点数の合計と前記連続性分析データに付与された点数の合計とを相関させて表示するものである。
【０００５】
また、特許文献２には、迅速且つ効率よく、長時間残業者に対する産業医面接を実現するための、健康管理サーバ、長時間残業者健康管理システム及び長時間残業者面接予約方法が開示されている。このシステムでは、対象となる社員がセルフチェック票の入力画面上で面接を希望する場合は、直ちに面接予約入力画面を端末に表示させる。また、面接を希望しない場合であっても、産業医が面接を要すると判断した場合は、当該社員の端末に面接予約入力画面を表示させるためのメールを送信するという構成を備える。
【０００６】
更に、特許文献３には、蓄積された健康情報を企業で活用する方法が示され、勤務時間に健康管理意識を高める装置、また企業として個人の健康管理をサポートする健康管理装置が開示されている。この健康管理装置は、利用者の健康情報を含む情報を格納するＩＣカードに対して情報の読取り及び書込みを行うＩＣカードリーダ・ライタと情報の読取りを行うＩＣカードリーダとのいずれかに接続された端末及び設備と、これらに通信可能に接続される分散処理コンピュータと、これに通信可能に接続され、分散処理コンピュータを制御するホストコンピュータとを備える。また、端末及び設備と、分散処理コンピュータと、ホストコンピュータとの間でＩＣカードの情報のやりとりを行うことにより、ＩＣカードの情報で特定される利用者の健康状態を端末の操作により予め設定された基準値をもとに判定し、判定した利用者の健康状態に応じて設備の利用を制限可能に管理する構成を備えている。
【０００７】
特許文献４には、被観測者のストレスの状態をより詳細に管理することのできる、ストレス解析システム、ストレス解析プログラムおよびストレス解析方法が開示されている。このストレス解析システムは、被観測者の行動についての情報を取得する行動情報取得手段と、被観測者の生体情報に基づいて当該被観測者のストレスの度合いを取得するストレス取得手段と、行動情報取得手段によって取得された被観測者の行動についての情報と、ストレス取得手段によって取得されたストレスの度合いとを、対応する時間とともに関連付けて格納する記憶手段と、記憶手段に格納されたデータを参照して、被観測者の行動とストレスの度合いとに基づく評価を行う評価手段とを含むものである。
【先行技術文献】
【特許文献】
【０００８】
【特許文献１】特開２００９−１４６２５７号公報
【特許文献２】特開２０１０−０４００３４号公報
【特許文献３】特開２０１０−１９１６７７号公報
【特許文献４】特開２０１２−２４９７９７号公報
【発明の概要】
【発明が解決しようとする課題】
【０００９】
上記特許文献１の発明は、勤怠データの入力が必要であり、勤務時間と生体情報との関連において健康状態を管理するものではない。
【００１０】
また、特許文献２の発明は、月単位に管理を行うものであり、しかも日々の勤務時間と生体情報との関連を勘案して健康管理を図るものではない。
【００１１】
また、特許文献３の発明は、生活習慣病やメタボリックシンドロームへの対策であり、日々の勤務時間と生体情報との関係を勘案して健康管理を図るものではない。更に、特許文献４の発明も、日々の勤務時間と生体情報との関係を勘案して健康管理を図る観点の発明ではなく、被観測者の行動とストレスの度合いとに基づく評価を行うものに過ぎない。
【００１２】
本発明は上記のような従来の健康管理システムの現状に鑑みてなされたものであり、その目的は、日々の勤務時間などの在席時間と生体情報との関係を勘案して健康管理を図るようにした健康管理システム及び健康管理用プログラムを提供することである。
【課題を解決するための手段】
【００１３】
本発明に係る健康管理システムは、個人の識別情報が記憶された識別情報記憶手段と、前記個人の生体情報を収集する生体情報収集手段と、個人の入出時に前記識別情報記憶手段から識別情報を取り込むと共に、前記生体情報収集手段から生体情報を取得する情報取得手段と、前記情報取得手段が識別情報を取得したときに、入出の時刻から在席時間を求め、前記識別情報に対応付けて日毎に前記在席時間情報及び生体情報を蓄積手段に蓄積する蓄積制御手段と、前記蓄積制御手段により蓄積された個人毎の情報に基づき、所定期間の在席時間が在席時間閾値を超過している場合及び／または、生体情報が所定閾値を超過している場合に、超過程度に応じて在席時間に関する勧告指示及び／または、健康診断の受診に関する勧告指示を含む健康管理勧告指示を出力する出力手段と、前記蓄積制御手段により蓄積された個人毎の情報に基づき、在席時間情報と生体情報をそれぞれ時系列に並べて、閾値との差の大きさを峻別可能に表記した健康管理テーブルを作成する健康管理テーブル作成手段と、情報を表示する表示手段と、前記健康管理テーブル作成手段により作成された健康管理テーブルを前記表示手段に表示する表示制御手段と、を具備することを特徴とする。
【００１５】
本発明に係る健康管理システムでは、健康管理テーブル作成手段は、色彩または色のトーン変化により閾値との差の大きさを峻別可能に表記した健康管理テーブルを作成することを特徴とする。
【００１６】
本発明に係る健康管理システムでは、個人のメンタル面の問診結果情報を入力する入力手段を有し、前記蓄積制御手段は、前記入力手段により入力された問診結果情報を個人の識別情報に対応付けて、日毎に蓄積された前記在席時間情報及び生体情報に付随させて蓄積し、表示制御手段は、表示要求に応じて要求に係る問診結果情報が付随された在席時間情報及び生体情報を前記表示手段に表示することを特徴とする。
【００１７】
本発明に係る健康管理システムでは、個人のメンタル面の問診結果情報を数値化する数値化テーブルを備え、前記蓄積制御手段は、前記数値化テーブルにより問診結果情報を数値化して蓄積すると共に、出力手段は、所定閾値と数値化して蓄積された問診結果情報を比較して、アラームを出力することを特徴とする。
【００１８】
本発明に係る健康管理システムでは、在席時間は、勤務時間であることを特徴する。本願において、在席時間は、広く、ある場所に居る時間を意味し、職場に居る勤務時間に限定されず、病院のベッドに居る時間、病院のベッドに居ない時間、治療やリハビリの場所に居る時間、ランニングや歩行している時間など、生体情報の変動や変化に影響を及ぼす時間などとすることができる。本発明は、このような在席時間と生体情報との関係を勘案して健康管理を図るようにしたものである。
【００１９】
本発明に係る健康管理システムでは、識別情報記憶手段と生体情報収集手段とが、１または２以上のウェアラブルデバイスとして構成されていることを特徴とする。
【００２０】
本発明に係る健康管理システムでは、ウェアラブルデバイスは、腕時計タイプ、ネームプレートタイプ、メガネタイプ、帽子タイプ、着衣タイプの少なくとも１つにより構成されることを特徴とする。
【００２１】
本発明に係る健康管理用プログラムは、個人の入出時に、個人の識別情報が記憶された識別情報記憶手段から識別情報を取り込むと共に、前記個人の生体情報を収集する生体情報収集手段から生体情報を取得する情報取得手段に接続された健康管理用のコンピュータに用いられる健康管理用プログラムであって、コンピュータを、前記情報取得手段が識別情報を取得したときに、入出の時刻から在席時間を求め、前記識別情報に対応付けて日毎に前記在席時間情報及び生体情報を蓄積する蓄積制御手段、前記蓄積制御手段により蓄積された個人毎の情報に基づき、所定期間の在席時間が在席時間閾値を超過している場合及び／または、生体情報が所定閾値を超過している場合に、超過程度に応じて在席時間に関する勧告指示及び／または、健康診断の受診に関する勧告指示を含む健康管理勧告指示を出力する出力手段、前記蓄積制御手段により蓄積された個人毎の情報に基づき、在席時間情報と生体情報をそれぞれ時系列に並べて、閾値との差の大きさを峻別可能に表記した健康管理テーブルを作成する健康管理テーブル作成手段、前記健康管理テーブル作成手段により作成された健康管理テーブルを、情報を表示する表示手段に表示する表示制御手段、として機能させることを特徴とする。
【００２３】
本発明に係る健康管理用プログラムでは、更に、コンピュータを、健康管理テーブル作成手段として、色彩または色のトーン変化により閾値との差の大きさを峻別可能に表記した健康管理テーブルを作成するように機能させることを特徴とする。
【００２４】
本発明に係る健康管理用プログラムでは、更に、コンピュータを、前記蓄積制御手段として、個人のメンタル面の問診結果情報を入力する入力手段より入力された問診結果情報を個人の識別情報に対応付けて、日毎に蓄積された前記在席時間情報及び生体情報に付随させて蓄積するように機能させ、表示制御手段として、表示要求に応じて要求に係る問診結果情報が付随された在席時間情報及び生体情報を前記表示手段に表示するように機能させることを特徴とする。
【００２５】
本発明に係る健康管理用プログラムでは、個人のメンタル面の問診結果情報を数値化する数値化テーブルを備え、更に、コンピュータを、前記蓄積制御手段として、前記数値化テーブルにより問診結果情報を数値化して蓄積するように機能させ、出力手段として、所定閾値と数値化して蓄積された問診結果情報を比較して、アラームを出力するように機能させることを特徴とする。
【００２６】
本発明に係る健康管理用プログラムでは、在席時間は、勤務時間であることを特徴する。本願において、在席時間は、広く、ある場所に居る時間を意味し、職場に居る勤務時間に限定されず、病院のベッドに居る時間、病院のベッドに居ない時間、治療やリハビリの場所に居る時間、ランニングや歩行している時間など、生体情報の変動や変化に影響を及ぼす時間などとすることができる。本発明は、このような在席時間と生体情報との関係を勘案して健康管理を図るようにしたものである。
【発明の効果】
【００２７】
本発明によれば、個人の入出時に、個人の識別情報が記憶された識別情報記憶手段から識別情報を取り込むと共に、前記個人の生体情報を収集する生体情報収集手段から生体情報を取得し、識別情報を取得したときに、入出の時刻から在席時間を求め、前記識別情報に対応付けて日毎に前記在席時間情報及び生体情報を蓄積し、蓄積された個人毎の情報に基づき、所定期間の在席時間が在席時間閾値を超過している場合及び／または、生体情報が所定閾値を超過している場合に、超過程度に応じて在席時間に関する勧告指示及び／または、健康診断の受診に関する勧告指示を含む健康管理勧告指示を出力するので、在席時間と生体情報との関係を勘案して健康管理を図ることができる。
【００２８】
本発明によれば、蓄積された個人毎の情報に基づき、在席時間情報と生体情報をそれぞれ時系列に並べて、閾値との差の大きさを峻別可能に表記した健康管理テーブルを作成すし、作成された健康管理テーブルを、情報を表示する表示手段に表示するので、在席時間と生体情報との関係が明瞭となり、これらを勘案して健康管理を図ることができる。
【図面の簡単な説明】
【００２９】
【図１】本発明に係る健康管理システムの実施形態の構成を示す図。
【図２】本発明に係る健康管理システムの実施形態に用いられる情報入力デバイスの機能ブロック図。
【図３】本発明に係る健康管理システムの実施形態に用いられるサーバのブロック図。
【図４】本発明に係る健康管理システムの実施形態の機能ブロック図。
【図５】本発明に係る健康管理システムの実施形態に用いられるコンピュータ端末のブロック図。
【図６】本発明に係る健康管理システムの実施形態に用いられる情報読取装置の動作を示すフローチャート。
【図７】本発明に係る健康管理システムの実施形態に用いられるサーバの動作を示すフローチャート。
【図８】本発明に係る健康管理システムの実施形態において、ある人の一日分のフィールドに蓄積された情報の一例を示す図。
【図９】本発明に係る健康管理システムの実施形態に用いられるサーバの動作を示すフローチャート。
【図１０】本発明に係る健康管理システムの第２の実施形態において作成された健康管理テーブルの一例を示す図。
【図１１】本発明に係る健康管理システムの第３の実施形態において使用されるメンタル面の問診項目と問診結果の一例を示す図。
【図１２】本発明に係る健康管理システムの第３の実施形態において表示された健康管理テーブルの一例を示す図。
【図１３】本発明に係る健康管理システムの第４の実施形態において使用される数値化テーブルの一例を示す図。
【図１４】本発明に係る健康管理システムの第４の実施形態においてアラーム表示使用されるウェアラブルデバイスの一例の斜視図。
【発明を実施するための形態】
【００３０】
以下添付図面を参照して、本発明に係る健康管理システム及び健康管理用プログラムの実施形態を説明する。各図において、同一の構成要素には同一の符号を付し重複する説明を省略する。図１に本発明に係る健康管理システムの実施形態を示す。本実施形態において、在席時間は、勤務時間とする。また、本実施形態では、入出は、会社、職場、工場などへ入出することであるが、本発明では、所定の場所への入出を意味し、ベッド内のようなところも場所である。健康管理システムは、システムの中心となるサーバ１０と、サーバ１０に接続されたコンピュータ端末３０と、情報読取装置４０と、情報入力デバイス５０を備えるものである。コンピュータ端末３０と情報読取装置４０は、それぞれ複数台備えられていても良い。コンピュータ端末３０は、スマートフォンやパーソナルデジタルアシスタントなどの携帯電子端末としても良い。情報入力デバイス５０は、例えば腕時計タイプのウェアラブルデバイスにより構成することができる。情報入力デバイス５０は、腕時計タイプ、ネームプレートタイプ、メガネタイプ、帽子タイプ、着衣タイプの少なくとも１つにより構成することができる。
【００３１】
情報入力デバイス５０は、図２に示されるように、個人の識別情報が記憶された識別情報記憶手段５１と、上記個人の生体情報を収集する生体情報収集手段５２とを含んでいる。生体情報収集手段５２は、体温、心拍数、血圧、脳波、心電図、血液酸素飽和度（ＳｐＯ2）、移動量（運動量）、意識などの生体情報を収集するセンサやデバイスや装置であり、所定の時間間隔により生体情報を測定収集して記憶しておき、情報読取装置４０により情報読取りが行われるときに、上記で記憶した生体情報の読取りが可能に構成されている。なお、脳波については、代表的な波の周波数や振幅など、心電図については、ＱＲＳ波などの特徴的な値であっても良い。
【００３２】
情報読取装置４０は、情報取得手段として機能し、個人の入出時に上記識別情報記憶手段５１から識別情報を取り込むと共に、上記生体情報収集手段５２から生体情報を取得するものである。この情報読取装置４０は、電磁結合などにより識別情報記憶手段５１と生体情報収集手段５２に結合し、情報を読み取るものであるが、読取り方式は電磁結合に限定されない。また、情報読取装置４０は、玄関などに設置され、個人が入出の際に情報入力デバイス５０を情報読取装置４０の読取部にかざすことにより情報の読み取りを行うものである。従って、識別情報記憶手段５１にはセキュリティ情報が記憶されていると好適であり、セキュリティ情報が不正であるときには情報読取装置４０のゲートが開かないようにしても良い。また、情報読取装置４０としては、個人の入出のとき以外に情報を読み取るために、適宜な位置に配置されていても良い。
【００３３】
サーバ１０は、図３に示されるように、ＣＰＵ１１に、ＬＡＮなどのネットワークのインタフェース１２、主メモリ１３、外部記憶装置１４、表示制御部１５が接続された構成を有する。インタフェース１２には、コンピュータ端末３０と情報読取装置４０が接続されている。表示制御部１５には、ＬＥＤなどにより構成される表示部１６が接続され、表示部１６には情報を表示することができる。
【００３４】
外部記憶装置１４には、本システムの動作に用いられる健康管理用プログラムが記憶されており、ＣＰＵ１１は、上記プログラムを主メモリ１３に読み出して実行することにより、図４に示す各手段を実現する。また、外部記憶装置１４には、勤務時間情報及び生体情報などを蓄積するための蓄積手段１７が備えられている。蓄積手段１７には、個人識別情報に対応して、氏名、性別、年齢、生年月日、所属（職場や病院の診療科など）などの個人情報が予め記憶されている。
【００３５】
次に、図４に示されている各手段を説明する。健康管理用プログラムにより、蓄積制御手段２１、出力手段２２、健康管理テーブル作成手段２３、表示制御手段２４が実現される。蓄積制御手段２１は、情報取得手段である情報読取装置４０が識別情報を取得したときに、入出の時刻から勤務時間を求め、上記識別情報に対応付けて日毎に上記勤務時間情報及び生体情報を蓄積手段１７に蓄積するものである。出力手段２２は、上記蓄積制御手段２１により蓄積された個人毎の情報に基づき、所定期間の勤務時間が勤務時間閾値を超過している場合及び／または、生体情報が所定閾値を超過している場合に、超過程度に応じて勤務時間に関する勧告指示及び／または、健康診断の受診に関する勧告指示を含む健康管理勧告指示を出力するものである。
【００３６】
コンピュータ端末３０は、図５に示されるように、ＣＰＵ３１に、主メモリ３２、ＬＡＮなどのインタフェース３３、外部記憶装置３４、入力制御部３５、表示制御部３６が接続された構成とすることができる。インタフェース３３にはサーバ１０が接続され、入力制御部３５にはキーボードやタッチパネルやマウスなどの入力部３７が接続され、表示制御部３６にはＬＥＤなどの表示部３８が接続される。
【００３７】
外部記憶装置３４には、コンピュータ端末３０が動作するための各種プログラムやデータが記憶され、ＣＰＵ３１は、これらの各種プログラムやデータを主メモリ３２へ読み出して動作する。入力部３７からはコマンドやデータなどを入力することができる。また、表示制御部３６は、各種の図や文字などの情報をＣＰＵ３１の制御の基に表示部３８に表示する。
【００３８】
以上のように構成された健康管理システムでは、情報読取装置４０が図６のフローチャートに示すように動作を行う。情報読取装置４０は、読取部に情報入力デバイス５０がかざされたか、情報取込時刻であるかを検出している（Ｓ１１）。このステップＳ１１においてＹＥＳとなると、個人識別情報と生体情報を情報入力デバイス５０から読取り、現在の時刻情報及び入出種別情報と共にサーバ１０へ送信する（Ｓ１２）。
【００３９】
一方、サーバ１０は、図７のフローチャートに示すように動作を行う。このフローチャートは例えば、零時から２４時までの処理とする。情報読取装置４０から情報が到来したのかを検出し（Ｓ２１）、到来した場合には、蓄積手段１７の当該個人識別情報の当該日付のフィールドへ生体情報及び時刻情報を蓄積する（Ｓ２２）。次に、入出種別情報が入である時刻情報が１以上蓄積されているフィールドを検索し（Ｓ２３）、最古の入時刻を出社時刻とし最新の出時刻又は現在時刻を退社時刻として一日の勤務時間を算出して上記個人情報の当該日付のフィールドへ記憶する（Ｓ２４）。現在時刻を退社時刻とすることにより、実際には退社していない社員の本日分の情報を含めた処理が可能となっている。
【００４０】
図８は、ある人の一日分のフィールドに蓄積された情報であり、最上部の第１コラムＣ１は、入時の情報が記憶された欄である。２番目の第２コラムＣ２は、所定情報取込時刻の情報が記憶された欄である。また、第３番目の第３コラムＣ３は、出時の情報が記憶された欄である。入出が繰り返されると、入時の情報が記憶された欄と出時の情報が記憶された欄が追加され、その欄に情報が蓄積される。また、所定情報取込時刻が複数であるときは、所定情報取込時刻の情報が記憶された欄が追加され、その欄に情報が蓄積される。
【００４１】
更に、サーバ１０は、図９のフローチャートに示すように、健康管理勧告指示を出力する動作を行う。処理が開始されると、蓄積手段１７に蓄積された個人（社員）の人数対応のエントリー数ｉを（１）とし（Ｓ３１）、このエントリー（１）の個人について現在から例えば５日前までの合計勤務時間が５日時間閾値を超過しているかを検出する（Ｓ３２）。５日時間閾値は、例えば、１か月（例えば、２５日間）について許容された超過勤務時間から割り出した値とする。上記ステップＳ３２の判定を行い（Ｓ３３）、ＹＥＳとなると勤務制限勧告情報をセットする（Ｓ３４）。
【００４２】
上記ステップＳ３４の処理の後、または、ステップＳ３３においてＮＯへ分岐した場合には、現在から５日前までの生体情報について５日間生体閾値を超過しているか検出する（Ｓ３５）。５日間生体閾値は、生体情報が血圧や心拍数などでは５日間の平均値に対して適正な平均閾値が用意されており、また、脳波や心電図などでは、１度でも所定値を超えてはならない一過性閾値が用意されていても良い。一過性閾値は、血圧や心拍数などに対して用意されていても良い。上記ステップＳ３５の判定を行い（Ｓ３６）、ＹＥＳとなると、例えば、平均閾値に対する超過では健康診断受診勧告情報を、一過性閾値に対する超過では健康診断受診勧告情報に加えて勤務制限勧告情報をセットする（Ｓ３７）。
【００４３】
ステップＳ３７に次いで、ステップＳ３４とＳ３７の勧告を表示制御部１５やコンピュータ端末３０へ出力し、ｉを１インクリメントする（Ｓ３８）。ステップＳ３８に次いで、ｉが蓄積手段１７内のエントリー数を超えたかを検出し（Ｓ３９）、ＮＯの場合にはステップＳ３２へ戻って処理を続け、ＹＥＳへ分岐すると処理を終了する。
【００４４】
また、ステップＳ３６においてＮＯとなると、現在から１０日前までの情報に基づく処理ルーチンＲ１１へ進む。処理ルーチンＲ１１では、ステップＳ３２からステップＳ３８までの処理と大略同じ処理が行われる。但し、ステップＳ３２に対応する処理では、１０日前までの合計勤務時間が１０日時間閾値を超過しているかを検出する。１０日時間閾値は、例えば、１か月（例えば、２５日間）について許容された超過勤務時間から割り出した値とする。
【００４５】
また、ステップＳ３５に対応する処理では、現在から１０日前までの生体情報について１０日間生体閾値を超過しているか検出する。１０日間生体閾値は、生体情報が血圧や心拍数などでは１０日間の平均値に対して適正な平均閾値が用意されており、また、脳波や心電図などでは、１度でも所定値を超えてはならない一過性閾値が用意されている。
【００４６】
処理ルーチンＲ１１の次には、現在から１５日前までの情報に基づく処理ルーチンＲ１２が、更に、５日づつ増加させた期間について処理ルーチンＲ１３が行われ、最終的に、現在から２５日前までの情報に基づく処理ルーチンＲ１４が行われる。このように、本実施形態では、日々の勤務時間などの在席時間と生体情報との関係を勘案して健康管理を図るので、適切な健康管理を行うことができる。なお、５日分づつ増加させたが、この日数は一例に過ぎない。
【００４７】
本発明の第２の実施形態では、健康管理テーブル作成手段２３は、上記蓄積制御手段２１により蓄積された個人毎の情報に基づき、勤務時間情報と生体情報をそれぞれ時系列に並べて、閾値との差の大きさを峻別可能に表記した健康管理テーブルを作成するものである。表示制御手段２４は、上記健康管理テーブル作成手段２３により作成された健康管理テーブルを表示手段に表示する。この表示手段は、サーバ１０の表示部１６やコンピュータ端末３０の表示部３８とすることができる。更に、健康管理テーブル作成手段２３は、色彩または色のトーン変化により閾値との差の大きさを峻別可能に表記した健康管理テーブルを作成する。
【００４８】
図１０に、この第２の実施形態において健康管理テーブル作成手段２３により作成され、表示制御手段２４によって表示された健康管理テーブルの一例を示す。ここでは、色のトーン変化により閾値との差の大きさを峻別可能に表記している。これによって、産業医などがサーバ１０の表示部１６やコンピュータ端末３０の表示部３８へ図１０のような健康管理テーブルを表示することにより、一目瞭然に健康状態の傾向を把握して、健康に関する各種の助言を行うことが可能となる。
【００４９】
次に、本発明の第３の実施形態を説明する。第３の実施形態では、図４に示した蓄積制御手段２１を備える。この実施形態では、コンピュータ端末３０の入力部３７を個人のメンタル面の問診結果情報を入力する入力手段として用いることができる。上記の蓄積制御手段２１は、上記入力手段である入力部３７により入力された問診結果情報を個人の識別情報に対応付けて、日毎に蓄積された上記勤務時間情報及び生体情報に付随させて蓄積し、表示制御手段２４は、表示要求に応じて例えば上記表示手段である表示部３８に要求に係る問診結果情報が付随された勤務時間情報及び生体情報を表示する。
【００５０】
図１１に、メンタル面の問診項目と問診結果の一例を示す。問診を行う産業医などは、図１１のストレスについて、「毎日ある」、「頻繁にある」、「ときどきある」、「たまにある」、「全くない」から選択してもらうように問診を行う。また、気分については、「黒」「ブルー」「灰色」「白」「ピンク」「赤（バラ色）」から選択してもらう。その他の項目も、例示して、いずれかを選択してもらう。メンタル面で優れない問診結果を左側に表記し、右側へ進むほど、メンタル面が良好とする。その他の問診項目については、程度を数値で表現している。
【００５１】
産業医などは、コンピュータ端末３０の入力部３７から上記のような個人のメンタル面の問診結果情報（問診項目情報も）を入力する。これに対して、蓄積制御手段２１は、上記入力された問診結果情報を個人の識別情報に対応付けて、図１０に示した健康管理テーブルの情報に付随させて蓄積する。表示制御手段２４は、コンピュータ端末３０からの表示要求に応じてコンピュータ端末３０へ要求に係る問診結果情報が付随された勤務時間情報及び生体情報を送出し、これが表示部３８に表示される。
【００５２】
図１２に、表示部３８に表示される問診結果情報が付随された健康管理テーブルの一例を示す。問診を行った日に対応して付随されており、記載のない欄に対応する日には問診が行われなかったことを示している。また、問診結果情報についても、色のトーン変化によりメンタル面の良好・不良を表示する。これにより、一目瞭然に健康状態とメンタル面の良好・不良の傾向を把握して、健康とメンタルに関する各種の助言を行うことが可能となる。
【００５３】
次に、本発明の第４の実施形態を説明する。第４の実施形態では、個人のメンタル面の問診結果情報を数値化する数値化テーブルを備え、蓄積制御手段２１は、上記数値化テーブルにより問診結果情報を数値化して蓄積する。また、出力手段２２は、所定閾値と数値化して蓄積された問診結果情報を比較して、アラームを出力する。
【００５４】
図１３に、数値化テーブルの一例を示す。問診項目が「ストレス」については、「毎日ある」、「頻繁にある」、「ときどきある」、「たまにある」、「全くない」の順で、括弧内に示すように５から１までの整数に数値化される。また、問診項目が「気分」については、「黒」、「ブルー」、「灰色」、「白」、「ピンク」、「赤」の順で、括弧内に示すように６から１までの整数に数値化される。その他の問診項目では、問診の際に程度を数値で表現した値を用いるので、この数値を用いる。
【００５５】
閾値は、問診項目毎に個別に設けられると共に、例えば、全ての問診項目の結果情報についての数値を合計したものに対して設けられる。いずれかの閾値を超過すると、表示部３８に「メンタル面異常」などのアラームが例えば、図１２に示した情報に上書きされて、表示される。このような表示部３８への表示と共にコンピュータ端末３０の図示しないスピーカにより所定の音声発生を行うようにしても良い。或いは、ウェアラブルデバイスが図１４に示す帽子（キャップ）タイプである帽子６０により構成されている場合、例えば、帽子６０の側方における開口部に隣接する縁部に光や音などを発する報知器６１へ出力手段２２が、例えば無線通信により出力を行ってアラームとして音や光を発生させるようにしても良い。これにより、緊急事態であることが本人や周囲に明らかとなる。また、アラームは、生体情報に緊急の異常が認められる場合や勤務時間が極めて異常の場合に発生するようにしても良い。
【００５６】
以上の実施形態では、職場における健康管理を行う場合について説明を行ったが、本発明はこれに限定されない。在席時間は、広く、ある場所に居る時間を意味し、職場に居る勤務時間に限定されず、病院のベッドに居る時間、病院のベッドに居ない時間、治療やリハビリの場所に居る時間、ランニングや歩行している時間など、生体情報の変動や変化に影響を及ぼす時間などとすることができる。
【００５７】
上記病院のベッドに居る時間、病院のベッドに居ない時間を生体情報と共に管理することにより、患者が睡眠や安静となっている時間についてアドバイスを行うことが可能である。また、治療やリハビリの場所に居る時間、ランニングや歩行している時間を生体情報と共に管理することにより、治療やリハビリの効果を上げることが期待でき、ランニングや歩行による健康状態の適切な管理を行うことが期待される。
【符号の説明】
【００５８】
１０  サーバ
１７  蓄積手段
２１  蓄積制御手段
２２  出力手段
２３  健康管理テーブル作成手段
２４  表示制御手段
３０  コンピュータ端末
４０  情報読取装置
５０  情報入力デバイス
５１  識別情報記憶手段
５２  生体情報収集手段
６０  帽子
６１  報知器
【図１】
0006656759.tif 000002
【図２】
0006656759.tif 000003
【図３】
0006656759.tif 000004
【図４】
0006656759.tif 000005
【図５】
0006656759.tif 000006
【図６】
0006656759.tif 000007
【図７】
0006656759.tif 000008
【図８】
0006656759.tif 000009
【図９】
0006656759.tif 000010
【図１０】
0006656759.tif 000011
【図１１】
0006656759.tif 000012
【図１２】
0006656759.tif 000013
【図１３】
0006656759.tif 000014
【図１４】
0006656759.tif 000015